(57)【要約】【課題】低パワーで光を照射する場合でも正確に校正することができること。【解決手段】光プローブ２００の校正を行う場合に、演算部１０７は、自然放出光の発光領域（Iop＜Ith）の場合には、ｙ＝aｘ２＋ｂｘ＋ｃの演算式を使って、レーザ光の発光領域（Iop≧Ith）の場合には、ｙ＝ｄｘ＋eの演算式を使って、校正部１０３の出力とモニタ部１０６の出力との相関関係を示す近似式を求める。ここで、半導体レーザ１１１に注入する電流をIop、半導体レーザ１１１における閾値電流、ｙは校正部１０３の出力（現行値：P）、ｘはモニタ部１０６の出力（モニタ値:Vmoni）とする。【選択図】図２
2013085737.tif 000002
【特許請求の範囲】
【請求項１】
光プローブに導出される、少なくとも自然放出光からなる光を発光することが可能な光源部と、
前記光源部から出射された光の強度を検出する第１の検出部と、
前記光プローブに対する校正のために、前記第１の検出部により検出された光の強度から非線形関数に近似する演算を行う演算部と
を具備する医用装置。
【請求項２】
請求項１に記載の医用装置であって、
前記光源部は、半導体レーザを備え、
前記演算部は、前記半導体レーザが前記レーザ光からなる光を発光している場合には、前記光プローブに対する校正のために、前記第１の検出部により検出された光の強度から線形関数に近似する演算を行う
医用装置。
【請求項３】
請求項２に記載の医用装置であって、
前記演算部は、前記半導体レーザのレーザ発振閾値電流に基づき、前記半導体レーザが前記自然放出光からなる光を発光するか、前記半導体レーザが前記レーザ光からなる光を発光するかを判断する
医用装置。
【請求項４】
請求項１に記載の医用装置であって、
前記光プローブが着脱可能であり、前記装着された光プローブに前記光源部が発光した光を導出する導出部と、
前記導出部に装着された光プローブから出射される光の出力を検出する第２の検出部をさらに具備し、
前記演算部は、前記第１の検出部により検出された光の強度と前記第２の検出部により検出された光の出力との相関を、前記非線形関数に近似する演算により求める
医用装置。
【請求項５】
請求項４に記載の医用装置であって、
前記演算部は、前記光プローブから出射されている光の出力を、前記求められた相関に基づき前記第１の検出部により検出された光の強度から算出する
医用装置。
【請求項６】
請求項５に記載の医用装置であって、
前記演算部により算出された、前記光プローブから出射されている光の出力を表示する表示部と、
前記光源部が発光する光の出力を調整する操作が可能な操作部と
をさらに具備する医用装置。
【請求項７】
半導体レーザと、
前記光プローブの一端が着脱可能で、前記一端に前記半導体レーザからの光を導出する導出部と、
前記光プローブの校正時に、前記光プローブの他端が挿入され、前記他端からの光の出力を検出する校正部と、
前記半導体レーザからの光の強度と前記校正部で検出された光の出力との相関を、前記半導体レーザのレーザ光の発光時には前記非線形関数に近似する演算により求め、前記半導体レーザの自然放出光の発光時には前記線形関数に近似する演算により求める演算部と
を具備する治療装置。
【請求項８】
光プローブの一端に光を導入し、
前記光プローブの他端から光を導出し、
光プローブごとの、導入した光の強さと導出された光の出力との相関を、非線形関数に近似する演算により求める
光プローブの評価方法。
【請求項９】
請求項８の方法であって、
前記光プローブに導入される光がレーザ光の場合には、導入した光の強さと導出された光の出力との相関を、線形関数に近似する演算により求める
光プローブの評価方法。
【請求項１０】
光プローブの一端に半導体レーザからの光を導出し、
前記光プローブの他端からの光の出力を検出し、
前記半導体レーザからの光の強度と前記検出された光の出力との相関を、前記半導体レーザのレーザ光の発光時には前記非線形関数に近似する演算により求め、前記半導体レーザの自然放出光の発光時には前記線形関数に近似する演算により求める
校正方法。
【発明の詳細な説明】
【技術分野】
【０００１】
本技術は、例えば光線力学療法を用いた治療や薬剤濃度のモニタに用いられる医用装置、治療装置、光プローブの評価方法及び校正方法に関する。
【背景技術】
【０００２】
医用レーザ装置としては、１９６０年代に基礎検討が始められたのに続き、１９７０年代にはＣＯ２レーザ、ＮＤ：ＹＡＧレーザ、Ａｒイオンレーザ、ルビーレーザなどのレーザ治療器が開発され、普及した。次世代機には、小型化可能で維持・管理が容易な半導体レーザを光源とする装置が開発されている。レーザ技術の発展と薬剤研究の進展によって、レーザ光に反応する蛍光薬剤を特定の細胞に集積させた後にレーザ光を当てて細胞内部から破壊する治療（光線力学療法：ＰＤＴ（Ｐｈｏｔｏ  Ｄｙｎａｍｉｃ  Ｔｈｅｒａｐｙ））が近年注目されている。ＰＤＴは主に肺癌や脳腫瘍の分野で発展し、浜松ホトニクス製エキシマダイレーザやパナソニック製ＰＤＴ用レーザ装置などのレーザ装置が広く普及している。
【０００３】
レーザ治療器において治療の中に光出力がどれだけ照射されているかを正確に把握できることは、無駄な照射エネルギーを患部に与えるリスクや、照射エネルギーの不足による治療効果が得られないといったリスクを避けられることができる。ＰＤＴにおいては、過度な蛍光薬剤の投与というリスクも避けられることができ、より安全で正確な治療を提供するには、重要な技術の一つとなっている。
【０００４】
一方、ＰＤＴ用レーザ治療器において光が照射される部分（光プローブ）は生体と触れるため、施術ごとに交換するのが通例である。光プローブは光ファイバを内在させて光を伝送している場合が大部分であり、その伝送率はプローブの個体差によって大きく変動してしまう。
【０００５】
このため、特許文献１には、光プローブに個体情報を入力しておき接続時に個体情報に基づき光パワーを校正する技術が記載されている。特許文献２には、製品個体識別を用いて光パワーを校正する技術が開示されている。しかし、これらの技術では、光プローブの情報は使用直前のものではなく、滅菌や輸送、取付工程による特性の変化を含むことができない。
【先行技術文献】
【特許文献】
【０００６】
【特許文献１】特開２００４−３５０９３３号公報
【特許文献２】特開２００３−１０２３２号公報
【発明の概要】
【発明が解決しようとする課題】
【０００７】
ＰＤＴでは、治療効果のない低パワー（数ｍＷ以下）で光を照射して、血中の薬剤濃度をリアルタイムでセンシングする必要が生ずる。
本発明者らは、このような治療効果のない低パワーの範囲において使用直前に校正を行ってみたが、正確に校正できなかった。
【０００８】
以上のような事情に鑑み、本技術の目的は、低パワーで光を照射する場合でも正確に校正することができる医用装置、治療装置、光プローブの評価方法及び校正方法を提供することにある。
【課題を解決するための手段】
【０００９】
上記目的を達成するため、本技術に係る医用装置は、光プローブに導出される、少なくとも自然放出光からなる光を発光することが可能な光源部と、前記光源部から出射された光の強度を検出する第１の検出部と、前記光プローブに対する校正のために、前記第１の検出部により検出された光の強度から非線形関数に近似する演算を行う演算部とを具備する。
【００１０】
本技術では、光プローブに導出される光の強度から非線形関数に近似する演算を行い、この演算結果をもとに光プローブに対し校正しているので、低パワーで光を照射する場合でも正確に校正することができる。
【００１１】
本技術に係る医用装置は、前記光源部が半導体レーザを備え、前記演算部が前記半導体レーザが前記レーザ光からなる光を発光している場合には、前記光プローブに対する校正のために、前記第１の検出部により検出された光の強度から線形関数に近似する演算を行えばよい。
【００１２】
本技術では、半導体レーザはレーザ光ばかりでなく、低パワー発光時には自然放出光も発光することとなるが、自然放出光からレーザ光までの広パワー帯域において正確に校正することができる。
【００１３】
本技術に係る医用装置は、前記演算部は、前記半導体レーザのレーザ発振閾値電流に基づき、前記半導体レーザが前記自然放出光からなる光を発光するか、前記半導体レーザが前記レーザ光からなる光を発光するかを判断すればよい。
本技術では、半導体レーザがレーザ光か自然光かを発光していることを正確に判断することができ、広パワー帯域において正確に校正することができる。る
【００１４】
本技術に係る医用装置は、前記光プローブが着脱可能であり、前記装着された光プローブに前記光源部が発光した光を導出する導出部と、記導出部に装着された光プローブから出射される光の出力を検出する第２の検出部をさらに具備し、前記演算部は、前記第１の検出部により検出された光の強度と前記第２の検出部により検出された光の出力との相関を、前記非線形関数に近似する演算により求めるようにしてもよい。
【００１５】
本技術に係る医用装置は、前記演算部は、前記光プローブから出射されている光の出力を、前記求められた相関に基づき前記第１の検出部により検出された光の強度から算出すればよい。
【００１６】
本技術に係る医用装置は、前記演算部により算出された、前記光プローブから出射されている光の出力を表示する表示部と、前記光源部が発光する光の出力を調整する操作が可能な操作部とをさらに具備すればよい。これにより、リアルタイムに正確な施術を行うことが可能となる。
【００１７】
本技術の別の観点に係る治療装置は、半導体レーザと、前記光プローブの一端が着脱可能で、前記一端に前記半導体レーザからの光を導出する導出部と、前記光プローブの校正時に、前記光プローブの他端が挿入され、前記他端からの光の出力を検出する校正部と、前記半導体レーザからの光の強度と前記校正部で検出された光の出力との相関を、前記半導体レーザのレーザ光の発光時には前記非線形関数に近似する演算により求め、前記半導体レーザの自然放出光の発光時には前記線形関数に近似する演算により求める演算部とを具備する。
【００１８】
本技術の別の観点に係る光プローブの評価方法は、光プローブの一端に光を導入し、前記光プローブの他端から光を導出し、光プローブごとの、導入した光の強さと導出された光の出力との相関を、非線形関数に近似する演算により求める。
【００１９】
ここで、前記光プローブに導入される光がレーザ光の場合には、導入した光の強さと導出された光の出力との相関を、線形関数に近似する演算により求めればよい。
【００２０】
本技術のさらに別の観点に係る校正方法は、光プローブの一端に半導体レーザからの光を導出し、前記光プローブの他端からの光の出力を検出し、前記半導体レーザからの光の強度と前記検出された光の出力との相関を、前記半導体レーザのレーザ光の発光時には前記非線形関数に近似する演算により求め、前記半導体レーザの自然放出光の発光時には前記線形関数に近似する演算により求める。
【発明の効果】
【００２１】
以上のように、本技術によれば、低パワーで光を照射する場合でも正確に校正することができる。
【図面の簡単な説明】
【００２２】
【図１】本技術に係る一実施形態の心房細動に対するＰＤＴ用レーザ治療装置の外観を示す斜視図である。
【図２】図１に示したＰＤＴ用レーザ治療装置の構成を示すブロック図である。
【図３】自然放出光の発光領域である低パワー域においてはニ次関数を、レーザ光の発光領域である高パワー領域においては一次関数をそれぞれ用いて校正を行った場合の校正精度の一例を示すグラフである。
【図４】半導体レーザに注入される電流に対する校正部の出力との関係を示すグラフである。
【図５】半導体レーザに注入される電流とモニタ部の出力との関係を示すグラフである。
【図６】校正部の出力とモニタ部の出力との相関関係を示すグラフである。
【図７】半導体レーザの自然放出光の発光領域において校正部の出力とモニタ部の出力との関係を二次関数（非線形）を用いて近似した例を示すグラフである。
【図８】半導体レーザのレーザ光の発光領域において校正部の出力とモニタ部の出力との関係を一次関数（線形）を用いて近似した例を示すグラフである。
【図９】モニタ部によりモニタされる光の強度と光プローブから出射される光の出力との関係が常に線形と考えて校正を行った場合の校正精度を示すグラフである。
【図１０】光プローブの一例を示す斜視図である。
【図１１】図１０に示す光プローブよりアプリケータを取り外した状態を示す斜視図である。
【図１２】図１０及び図１１に示した光プローブが滅菌、梱包された状態を示す斜視図である。
【図１３】本技術に係る一実施形態の校正作業の詳細を示すフロー図である。
【図１４】光プローブの一端である光入射部を導出部に装着した状態のＰＤＴ用レーザ治療装置の外観を示す斜視図である。
【図１５】本技術に係る一実施形態のＰＤＴ用レーザ治療装置を使っての施術のフロー図である。
【図１６】光プローブからアプリケータ２０２を外した状態のＰＤＴ用レーザ治療装置の外観を示す斜視図である。
【図１７】本技術に係る他の実施形態のＰＤＴ用レーザ治療装置の構成を示すブロック図である。
【発明を実施するための形態】
【００２３】
以下、本技術に係る実施形態を図面を参照しながら説明する。
［ＰＤＴ用レーザ治療装置の構成］
【００２４】
図１は、本技術に係る一実施形態の心房細動に対するＰＤＴ用レーザ治療装置の外観を示す斜視図であり、このＰＤＴ用レーザ治療装置を用いて光プローブの校正をしている状態を示す。図２は、ＰＤＴ用レーザ治療装置１００の構成を示すブロック図である。
【００２５】
図１及び図２に示すように、医用装置としてのＰＤＴ用レーザ治療装置１００は、導出部１０１と、第２の検出部としての校正部１０２と、表示部１０３と、ロック解除ボタン１０４とを具備する。ＰＤＴ用レーザ治療装置１００は、さらに、光源部１０５と、第１の検出部としてのモニタ部１０６と、演算部１０７と、操作部１０８とを具備する。このＰＤＴ用レーザ治療装置１００は、レーザ光からなる光ばかりでなく、低出力の自然放出光からなる光も出力する。レーザ光からなる光は主として治療に用いられ、自然放出光からなる光は主として薬剤濃度をモニタするときに用いられる。
【００２６】
光源部１０５は、例えばＡｌＧａＩｎＰ系高出力半導体レーザ１１１を備える。半導体レーザとしては、これに限定されず、例えばＧａＮ系の半導体レーザなどを用いることができる。光源部１０５から出射された光は、モニタ部１０６及び導出部１０１を介して光プローブ２００へと伝送される。
【００２７】
導出部１０１は、光プローブ２００の光入射部２０１が着脱可能であり、装着された光プローブ２００に光源部１０５から出射された光を導出する。
【００２８】
モニタ部１０６は、導出部１０１に装着された光プローブ２００に導かれる光、つまり光源部１０５から出力され、導出部１０１へと導かれる光の強度を検出する。モニタ部１０６は、例えば、ハーフミラー１１２と、モニタ用フォトダイオード（ＰＤ）１１３とを備える。ハーフミラー１１２は、光源部１０５から出力され、導出部１０１へと導かれる光の光路に配置され、その光の一部を取り出す。取り出された光は、モニタ用フォトダイオード１１３に導かれる。モニタ用フォトダイオード１１３は、ハーフミラー１１２により取り出された一部の光に基づき導出部１０１から光プローブ２００に導かれる光の強度を検出する。この実施形態では、光を取り出すためにハーフミラー１１２を用いているが、これに代わりビームスプリッター、サンプラーなどの他の光学素子を用いても勿論構わない。
【００２９】
術中での光出力のモニタ値は、モニタ用フォトダイオード１１３により検出された光の強度に基づき得ている。つまり、モニタ用フォトダイオード１１３により検出された光の強度を術中に光プローブ２００の先端から出射される光の出力とみなし、モニタ用フォトダイオード１１３により検出された光の強度を術中のモニタ値としている。しかし、モニタ用フォトダイオード１１３により検出された光の強度と光プローブ２００の先端から出射される光の出力との相関性は光プローブ２００の個体差から必ずしも一定ではしない。そこで、ＰＤＴ用レーザ治療装置１００では、光プローブ２００が装着されるたびに校正（キャリブレーション）を行っている。
【００３０】
光プローブ２００は光ファイバを内在させて光を伝送している場合が大部分であり、その伝送率はプローブの個体差によって大きく変動する。つまり、光プローブ２００を通過してその先端から出射される光の出力は、光プローブ２００の個体差によって変動する。このような個体差は、無駄な照射エネルギーを患部に与えるリスクや照射エネルギーの不足による治療効果が得られないといったリスク、ＰＤＴにおいては過度な蛍光薬剤の投与というリスクの原因となる。校正部１０２は、光プローブ２００の個体差を校正するため、光プローブ２００の使用の直前にアプリケータ２０２の先端部が挿入される部位である。校正部１０２は、校正部１０２に設けられたロック機構（図示せず）が先端部の溝などに係合した状態で、光プローブ２００からの光の出力を計測する。なお、ロック解除ボタン１０４を押すことにより、出力計測部１０１からアプリケータ２０２の先端部を離脱することができる。
【００３１】
校正部１０２は、光プローブ２００から出射される光の出力を測定するため、積分球やレンズなど集光素子１１４で集光させフォトダイオード１１５で受光し、現行値を得る。光プローブ２００は施術ごとに交換されるため、交換するたびに校正作業が行われることになる。
演算部１０７は、光プローブに対する校正のために、モニタ部１０６により検出された光の強度を後述する関数を使って演算する。
【００３２】
表示部１０３は、校正された、光プローブ２００から出射されている光の出力をリアルタイムに表示する。操作者は、表示部１０３に表示された値を見ながら操作部１０８を操作して施術を行う。
操作部１０８の操作によって半導体レーザ１１１に注入される電流が調整され、半導体レーザ１１１から出射される光の出力が所望値に可変される。
【００３３】
上記の校正は、図１に示したように、導出部１０１に装着された光プローブ２００を校正部１０２に挿入し、光源部１０５から光を出射させ、モニタ部１０６により検出された光の強度と校正部１０３で検出される光の出力との相関性を取得するものである。
【００３４】
より具体的には、半導体レーザ１１１に注入される電流を例えば徐々に上げていき、複数のポイントで、モニタ部１０６により検出された光の強度と校正部１０３で検出される光の出力との関係を取得する、その結果から相関性を取得する。実際の治療などでは、モニタ部１０６から光の強度をモニタし、取得した相関性から光プローブ２００から出射されている光の出力を推定している。
【００３５】
半導体レーザ１１１は、一般的に、半導体レーザ１１１に注入される電流とモニタ部１０６により検出されるレーザ光の強度とは線形の関係にある。従って、モニタ部１０６によりモニタされる光の強度と光プローブ２００から出射される光の出力との関係は線形の関係にあると思われていた。
【００３６】
一方、このＰＤＴ用レーザ治療装置１００では、治療効果のない低パワー（数ｍＷ以下）で光を照射して、血中の薬剤濃度をリアルタイムでセンシングする必要が生ずる。本発明者らの知見によれば、モニタ部１０６によりモニタされる光の強度と光プローブ２００から出射される光の出力との関係が線形と考えて校正を行うと、校正精度が非常に悪いということを見出した。
【００３７】
図３はモニタ部１０６によりモニタされる光の強度と光プローブ２００から出射される光の出力との関係が常に線形と考えて校正を行った場合の校正精度を示している。この結果から分かるように０．１Ｗ程度以下の低パワー域において、校正精度が非常に悪く、これでは例えば血中の薬剤濃度を正確に評価できないこととなる。
【００３８】
図４は半導体レーザ１１１に注入される電流Ｉopに対する校正部１０３の出力（現行値：P）との関係を示している。図５は半導体レーザ１１１に注入される電流Ｉopとモニタ部１０６の出力（モニタ値:Vmoni）との関係を示している。図６はこのときの校正部１０３の出力（現行値：P）とモニタ部１０６の出力（モニタ値:Vmoni）との相関関係を示している。
【００３９】
図６から明らかなように、校正部１０３の出力（現行値：P）とモニタ部１０６の出力（モニタ値:Vmoni）との関係は、低パワー域において線形にはならない。
【００４０】
これは、半導体レーザ１１１は、低パワー域においてはレーザ発振をせずに、自然放出光を出射することが原因であるということが、本発明者らが見出した知見である。より具体的には、本発明者らは以下の原因があると考えた。
（１）自然放出光とレーザ光での放射角の違いによる光プローブ２００を構成する光ファイバへの結合効率の変化がある。
【００４１】
（２）本発明者らは自然放出光ではレーザ光と比較して発振波長が広くなるため光プローブ２００まで伝送される間に使用した光源部１０５の波長特性の影響を受ける。
【００４２】
（３）モニタ部１０６におけるハーフミラー１１２の反射率がレーザ光よりも広帯域の波長特性を有していることから、自然放出光の方がハーフミラー１１２で反射される光が強くなってしまう。
【００４３】
（４）自然放出光の放射角はレーザ光の放射角に比し当然広角であることから、モニタ部１０６におけるフォトダイオード１１３の位置に照射される範囲が自然放出光の方が広くなり、実際にはフォトダイオード１１３の部分以外にも光が照射されることになる。
【００４４】
そこで、このＰＤＴ用レーザ治療装置１００では、演算部１０７が低パワー域（自然放出光の発光領域）とその以上のパワー域（レーザ光の発光領域）とで異なる演算を行って広いパワー域で校正精度を上げている。
【００４５】
ここで、半導体レーザ１１１に注入する電流をIopとする。また、半導体レーザ１１１の自然放出光の発光領域とレーザ光の発光領域との境界における、半導体レーザ１１１への電流を閾値電流Ithとする。
演算部１０７は、自然放出光の発光領域（Iop＜Ith）の場合には、
ｙ＝aｘ２＋ｂｘ＋ｃ    （式１）
の二次関数を使って校正部１０３の出力とモニタ部１０６の出力との相関関係を示す近似式を求める。
ここで、ｙは校正部１０３の出力（現行値：P）、ｘはモニタ部１０６の出力（モニタ値:Vmoni）とする。
演算部１０７は、レーザ光の発光領域（Iop≧Ith）の場合には、
ｙ＝ｄｘ＋e    （式２）
の一次関数を使って校正部１０３の出力とモニタ部１０６の出力との相関関係を示す近似式数を求める。
なお、上記近似式は例えば最小自乗法などを使って求める。
【００４６】
半導体レーザ１１１のレーザ光の発光領域では一次関数（線形）の演算式（式２）を用いて校正部１０３の出力とモニタ部１０６の出力との相関関係を算出している。演算部１０７は、半導体レーザ１１１の自然放出光の発光領域においては二次関数（非線形）の演算式（式１）を用いて校正部１０３の出力とモニタ部１０６の出力との相関関係を算出している。
【００４７】
図７は半導体レーザ１１１の自然放出光の発光領域において校正部１０３の出力（P）とモニタ部１０６の出力（Vmoni）との関係を二次関数（非線形）を用いて近似した例を示している。図８は半導体レーザ１１１のレーザ光の発光領域において校正部１０３の出力（P）とモニタ部１０６の出力（Vmoni）との関係を一次関数（線形）を用いて近似した例を示している。
【００４８】
図７及び図８において、関数を示す線近傍に表示された点は校正時に実際に測定したポイントを示している。
【００４９】
以上のように、自然放出光の発光領域である低パワー域においてはニ次関数を、レーザ光の発光領域である高パワー領域においては一次関数をそれぞれ用いて校正を行った場合の校正精度の一例を図９に示す。
【００５０】
図９から、図３における校正精度に比し、一般に装置の性能として求められる校正精度２０％を満たしている範囲は、６５mW〜１Wから５００μW〜１Wと低パワー域において約２桁改善されたことが分かる。
【００５１】
従って、このＰＤＴ用レーザ治療装置１００では、治療だけでなく、例えば薬剤濃度をモニタするときでも光プローブ２００から出射される光の出力を正確に把握することができる。また、別の観点からすると、校正時に少ないサンプル数で演算できるため、短時間で正確な校正が可能となる。
［光プローブの一例］
図１０及び図１１は光プローブの一例を示す斜視図である。
図１０に示すように、光プローブ２００には、アプリケータ２０２が被覆されている。
【００５２】
光プローブ２００は血管等の体腔内に挿入され、その先端の光出射部からレーザ光などが出射される。光プローブ２００では、体腔内に挿入される前に、光プローブ２００の光出射部から出射される光の出力が校正部１０２によって計測される。
【００５３】
この例では、光の出力の計測は、光プローブ２００にアプリケータ２０２が装着された状態で行われる。計測した後に、図１１に示すように、光プローブ２００からアプリケータ２０２が引き抜く。この状態で、光プローブ２００を用いて施術が行われる。光プローブ２００は、体腔内に挿入される領域がアプリケータ２０２によって覆われている。従って、光パワーメータの不潔な領域に接近又は接触するなどによって、光プローブ２００が汚染されることはなく、光プローブ２００の清潔性を保持することができる。
【００５４】
光プローブ２００の全長は例えば３ｍであり、アプリケータ２０２の全長は例えば１．１ｍ〜１．２ｍ程度である。施術時には、光プローブ２００は例えば１ｍ程度、体内に挿入される。
【００５５】
光プローブ２００は、レーザ光や自然放出光を導光するものであり、一端に導出部１０１に接続される光入射部２０１と、他端にレーザ光を出射する光出射部２０４とを有する。光入射部２０１にはＦＣ型やＳＭＡ型等の光コネクタ（図示せず）が設けられ、導出部１０１に接続される。光出射部２０４は、施術時において体腔内に挿入される。
【００５６】
アプリケータ２０２は、光プローブ２００の光出射部２０４からのレーザ光を例えば開閉可能な窓部を介して外部に出射可能に光プローブ２００を被覆し、光プローブ２００から離脱可能となっている。
【００５７】
なお、光プローブ２００は、図１２に示すように、梱包材２０５とともにＥＯＧ（エチレンオキサイドガス）あるいは放射線滅菌処理がされ、光プローブ梱包体２０６となり、光プローブ梱包体２０６の状態で医療機関に提供される。使用時には、梱包材２０５が開封され光プローブ２００が取り出される。
［校正作業］
次に、このように構成されたＰＤＴ用レーザ治療装置１００における校正作業を説明する。
図１３は校正作業の詳細を示すフロー図である。
光プローブ２００は、例えば径の異なる複数種類が用意されている。操作者は施術に応じてそれに適した光プローブ２００を選択する（ステップ１３１）。
【００５８】
次に、操作者は、図１４に示すように、清潔領域確保のためにアプリケータ２０２が装着された状態で、光プローブ２００の一端である光入射部２０１を導出部１０１に装着する（ステップ１３２）。
【００５９】
次に、操作者は、図１に示したように、アプリケータ２０２が装着された状態で、光プローブ２００の他端である光出射部２０４を校正部１０２に挿入する（ステップ１３３）。
【００６０】
次に、光源部１０５における半導体レーザ１１１に電流（Iop）を注入する（ステップ１３４）。その後、段階的に、この電流（Iop）を上げていく。段階的に下げていくようにしても勿論構わない。或いは、他の設定方法であっても構わない。
【００６１】
校正部１０２では、半導体レーザ１１１に注入された電流（Iop）に対する光プローブ２００からの光の出力（P）を測定する（ステップ１３５）。その結果は、例えば図４に示したようになる。
【００６２】
これと同様に、モニタ部１０６でも、半導体レーザ１１１に注入された電流（Iop）に対する光プローブ２００への光の強度（Vmoni）を測定する（ステップ１３６）。その結果は、例えば図５に示したようになる。
【００６３】
演算部１０７では、半導体レーザ１１１に注入された電流（Iop）を共通項として測定された光プローブ２００からの光の出力（P）と光プローブ２００への光の強度（Vmoni）の相関関係を示す近似式を算出する（ステップ１３７）。
【００６４】
演算部１０７では、その近似式を算出する際に、半導体レーザ１１１に注入された電流（Iop）が閾値電流Ith以下の場合には非線形関数である二次関数を用いて近似式を算出する。半導体レーザ１１１に注入された電流（Iop）が閾値電流Ithを超える場合には線形関数である一次関数を用いて近似式を算出する。
図７の例でいうと、近似式として、
ｙ＝−１３３７３ｘ２＋１３１６．５ｘ＋０．７０７９
が算出されている。
図８の例でいうと、近似式として、
ｙ＝７７２．３７ｘ‐６２．７５６
が算出されている。
以上で校正作業は終了する。
演算部１０７では、このように算出された２つの近似式が現在接続されている光プローブ２００に対する校正のための式として記憶される。
［ＰＤＴ用レーザ治療装置を使った施術］
校正作業が終了した後、施術が実施される。
図１５はこのように構成されたＰＤＴ用レーザ治療装置１００を使っての施術のフロー図である。
図１６に示すように、操作者は、光プローブ２００からアプリケータ２０２を外し、光プローブを患者に挿入する（ステップ１５１）。
次に、操作者は、操作部１０８を操作することで、光プローブ２００から出射される光の出力を設定する（ステップ１５２）。
ここで、校正時に演算部１０７で算出された演算式を使ってその光の出力（P）に適したモニタ値（Vmoni）が算出される（ステップ１５３）。
【００６５】
演算部１０７は、術中はモニタ値（Vmoni）が算出された値となるように、半導体レーザ１１１に注入された電流（Iop）を制御して半導体レーザ１１１より光を出力させる（ステップ１５４）。
【００６６】
従って、このＰＤＴ用レーザ治療装置１００では、治療だけでなく、例えば薬剤濃度をモニタするときにも、光プローブ２００から所望とする光の出力を安定して得ることができる。
［他の実施形態］
【００６７】
図１７は他の実施形態に係るＰＤＴ用レーザ治療装置の構成を示すブロック図である。なお、同図に示す実施形態において上記の実施形態と同一の構成要素には同一の符号を付している。
【００６８】
図１７に示すように、このＰＤＴ用レーザ治療装置３００は、モニタ部３０７の構成が上記実施形態と異なる。このモニタ部３０７は、光源部３０５に設けられた半導体レーザ３０８の光出力側とは反対側から一部出力される光の強度を検出するモニタ用フォトダイオード３０９を有する。
【００６９】
モニタ用フォトダイオード３０９により検出された光の強度は、モニタ値（Vmoni）として演算部１０７に送られる。演算部１０７は、上記の実施形態と同様にこのモニタ値（Vmoni）を校正や治療などに用いる。
【００７０】
このように構成されたＰＤＴ用レーザ治療装置３００は、モニタ部３０７がハーフミラーを不要とすることになるから部品点数を削減できる。また、ハーフミラーなどの光学部品では、モニタ用フォトダイオードに導く光の光学特性が自然放出光とレーザ光とで異なることとなり、校正精度を悪くする一因となっていた。しかし、このＰＤＴ用レーザ治療装置３００では、このような光学部品をなくしているので、校正精度が向上することになる。
［その他］
本技術は、上記の実施形態に限定されるものではなく、様々な変更を加えた形態で実施することが可能であり、その範囲も本技術に含まれるものである。
【００７１】
例えば、上記の実施形態においては、心房細動に対するＰＤＴ用レーザ治療装置に本技術を適用したものであったが、心臓などに対するレーザ治療装置にも本技術を適用である。
【００７２】
また、上記の実施形態においては、光源部が有する、光を発光する光学素子として半導体レーザを挙げて説明したが、半導体レーザ以外の他の光学素子を用いても勿論構わない。例えば、半導体レーザに代えて発光ダイオード（ＬＥＤ）を用いてもよい。発光ダイオードを光源部に有する本技術に係る医用装置は、例えば治療装置としてではなく薬剤濃度をモニタする検査装置として用いることができる。
本技術は以下のような構成も採ることができる。
（１）光プローブに導出される、少なくとも自然放出光からなる光を発光することが可能な光源部と、
前記光源部から出射された光の強度を検出する第１の検出部と、
前記光プローブに対する校正のために、前記第１の検出部により検出された光の強度から非線形関数に近似する演算を行う演算部と
を具備する医用装置。
（２）前記（１）に記載の医用装置であって、
前記光源部は、半導体レーザを備え、
【００７３】
前記演算部は、前記半導体レーザが前記レーザ光からなる光を発光している場合には、前記光プローブに対する校正のために、前記第１の検出部により検出された光の強度から線形関数に近似する演算を行う
医用装置。
（３）前記（１）又は（２）に記載の医用装置であって、
【００７４】
前記演算部は、前記半導体レーザのレーザ発振閾値電流に基づき、前記半導体レーザが前記自然放出光からなる光を発光するか、前記半導体レーザが前記レーザ光からなる光を発光するかを判断する
医用装置。
（４）前記（１）〜（３）のいずれかに記載の医用装置であって、
前記光プローブが着脱可能であり、前記装着された光プローブに前記光源部が発光した光を導出する導出部と、
前記導出部に装着された光プローブから出射される光の出力を検出する第２の検出部をさらに具備し、
【００７５】
前記演算部は、前記第１の検出部により検出された光の強度と前記第２の検出部により検出された光の出力との相関を、前記非線形関数に近似する演算により求める
医用装置。
（５）前記（４）に記載の医用装置であって、
前記演算部は、前記光プローブから出射されている光の出力を、前記求められた相関に基づき前記第１の検出部により検出された光の強度から算出する
医用装置。
（６）前記（５）に記載の医用装置であって、
前記演算部により算出された、前記光プローブから出射されている光の出力を表示する表示部と、
前記光源部が発光する光の出力を調整する操作が可能な操作部と
をさらに具備する医用装置。
（７）半導体レーザと、
前記光プローブの一端が着脱可能で、前記一端に前記半導体レーザからの光を導出する導出部と、
前記光プローブの校正時に、前記光プローブの他端が挿入され、前記他端からの光の出力を検出する校正部と、
【００７６】
前記半導体レーザからの光の強度と前記校正部で検出された光の出力との相関を、前記半導体レーザのレーザ光の発光時には前記非線形関数に近似する演算により求め、前記半導体レーザの自然放出光の発光時には前記線形関数に近似する演算により求める演算部と
を具備する治療装置。
（８）光プローブの一端に光を導入し、
前記光プローブの他端から光を導出し、
光プローブごとの、導入した光の強さと導出された光の出力との相関を、非線形関数に近似する演算により求める
光プローブの評価方法。
（９）前記（８）の方法であって、
前記光プローブに導入される光がレーザ光の場合には、導入した光の強さと導出された光の出力との相関を、線形関数に近似する演算により求める
光プローブの評価方法。
（１０）光プローブの一端に半導体レーザからの光を導出し、
前記光プローブの他端からの光の出力を検出し、
【００７７】
前記半導体レーザからの光の強度と前記検出された光の出力との相関を、前記半導体レーザのレーザ光の発光時には前記非線形関数に近似する演算により求め、前記半導体レーザの自然放出光の発光時には前記線形関数に近似する演算により求める
校正方法。
【符号の説明】
【００７８】
１００  ＰＤＴ用レーザ治療装置
１０１  導出部
１０２  校正部
１０３  表示部
１０５  光源部
１０６  モニタ部
１０７  演算部
１０８  操作部
１１１  半導体レーザ
１１２  ハーフミラー
１１３  モニタ用フォトダイオード（ＰＤ）
１１４  集光素子
１１５  フォトダイオード
２００  光プローブ
【図１】
2013085737.tif 000003
【図２】
2013085737.tif 000004
【図３】
2013085737.tif 000005
【図４】
2013085737.tif 000006
【図５】
2013085737.tif 000007
【図６】
2013085737.tif 000008
【図７】
2013085737.tif 000009
【図８】
2013085737.tif 000010
【図９】
2013085737.tif 000011
【図１０】
2013085737.tif 000012
【図１１】
2013085737.tif 000013
【図１２】
2013085737.tif 000014
【図１３】
2013085737.tif 000015
【図１４】
2013085737.tif 000016
【図１５】
2013085737.tif 000017
【図１６】
2013085737.tif 000018
【図１７】
2013085737.tif 000019
【手続補正書】
【提出日】平成24年10月26日(2012.10.26)
【手続補正１】
【補正対象書類名】特許請求の範囲
【補正対象項目名】請求項７
【補正方法】変更
【補正の内容】
【請求項７】
半導体レーザと、
前記光プローブの一端が着脱可能で、前記一端に前記半導体レーザからの光を導出する導出部と、
前記光プローブの校正時に、前記光プローブの他端が挿入され、前記他端からの光の出力を検出する校正部と、
前記半導体レーザからの光の強度と前記校正部で検出された光の出力との相関を、前記半導体レーザの自然放出光の発光時には前記非線形関数に近似する演算により求め、前記半導体レーザのレーザ光の発光時には前記線形関数に近似する演算により求める演算部と
を具備する治療装置。
【手続補正２】
【補正対象書類名】特許請求の範囲
【補正対象項目名】請求項１０
【補正方法】変更
【補正の内容】
【請求項１０】
光プローブの一端に半導体レーザからの光を導出し、
前記光プローブの他端からの光の出力を検出し、
前記半導体レーザからの光の強度と前記検出された光の出力との相関を、前記半導体レーザの自然放出光の発光時には前記非線形関数に近似する演算により求め、前記半導体レーザのレーザ光の発光時には前記線形関数に近似する演算より求める
校正方法。
【手続補正３】
【補正対象書類名】明細書
【補正対象項目名】００１７
【補正方法】変更
【補正の内容】
【００１７】
本技術の別の観点に係る治療装置は、半導体レーザと、前記光プローブの一端が着脱可能で、前記一端に前記半導体レーザからの光を導出する導出部と、前記光プローブの校正時に、前記光プローブの他端が挿入され、前記他端からの光の出力を検出する校正部と、前記半導体レーザからの光の強度と前記校正部で検出された光の出力との相関を、前記半導体レーザの自然放出光の発光時には前記非線形関数に近似する演算により求め、前記半導体レーザのレーザ光の発光時には前記線形関数に近似する演算により求める演算部とを具備する。
【手続補正４】
【補正対象書類名】明細書
【補正対象項目名】００２０
【補正方法】変更
【補正の内容】
【００２０】
本技術のさらに別の観点に係る校正方法は、光プローブの一端に半導体レーザからの光を導出し、前記光プローブの他端からの光の出力を検出し、前記半導体レーザからの光の強度と前記検出された光の出力との相関を、前記半導体レーザの自然放出光の発光時には前記非線形関数に近似する演算により求め、前記半導体レーザのレーザ光の発光時には前記線形関数に近似する演算により求める。
【手続補正５】
【補正対象書類名】明細書
【補正対象項目名】００７６
【補正方法】変更
【補正の内容】
【００７６】
前記半導体レーザからの光の強度と前記校正部で検出された光の出力との相関を、前記半導体レーザの自然放出光の発光時には前記非線形関数に近似する演算により求め、前記半導体レーザのレーザ光の発光時には前記線形関数に近似する演算により求める演算部と
を具備する治療装置。
（８）光プローブの一端に光を導入し、
前記光プローブの他端から光を導出し、
光プローブごとの、導入した光の強さと導出された光の出力との相関を、非線形関数に近似する演算により求める
光プローブの評価方法。
（９）前記（８）の方法であって、
前記光プローブに導入される光がレーザ光の場合には、導入した光の強さと導出された光の出力との相関を、線形関数に近似する演算により求める
光プローブの評価方法。
（１０）光プローブの一端に半導体レーザからの光を導出し、
前記光プローブの他端からの光の出力を検出し、
【手続補正６】
【補正対象書類名】明細書
【補正対象項目名】００７７
【補正方法】変更
【補正の内容】
【００７７】
前記半導体レーザからの光の強度と前記検出された光の出力との相関を、前記半導体レーザの自然放出光の発光時には前記非線形関数に近似する演算により求め、前記半導体レーザのレーザ光の発光時には前記線形関数に近似する演算により求める
校正方法。